(57)【特許請求の範囲】
【請求項１】
端部同士が対向するように長手方向に沿って位置する２個の軒樋と、
該軒樋の各端部に固着され前記軒樋の外周面から突出する突部を備え所定の間隔を有して対向する止水壁と、
前記軒樋及び止水壁の外周側に位置し前記各端部を跨いで前記間隔を塞ぐように連結する伸縮カバーとを備える軒樋の伸縮接続構造であって、
前記伸縮カバーは、少なくともその前板部および後板部の左右両側に長方形状の板を内側に折り返し、前記前板部および後板部には密着せずに傾斜した折り返し部を備え、該折り返し部と前記突部とが対向することを特徴とする軒樋の伸縮接続構造。
【請求項２】
前記伸縮カバーは、金属板材より形成され、前記折り返し部は該金属板材を屈曲形成することを特徴とする請求項１記載の軒樋の伸縮接続構造。
【請求項３】
前記伸縮カバーは、合成樹脂板材より形成され、前記折り返し部はセルフヒンジ部で形成することを特徴とする請求項１記載の軒樋の伸縮接続構造。
【発明の詳細な説明】
【０００１】
【発明の属する技術分野】
本発明は、建物の軒先に固定される軒樋の伸縮接続構造に係り、特に、伸縮により外れることがなく、構造が簡単でコストダウンが達成できる軒樋の伸縮接続構造に関する。
【０００２】
【従来の技術】
従来、この種の軒樋の伸縮接続構造としては、特開平７−３１７２４０号公報に記載の雨樋伸縮接続部がある。この公報に記載の技術は、各端部に止水壁が設けられた２個の雨樋が、端部間に間隙が形成されるように設けられ、基板下面の両端部付近に垂下壁が垂設され、基板の両端縁に側壁が立設された雨樋伸縮継手の両端部の垂下壁間に２個の雨樋の止水壁上端が挿入された雨樋伸縮接続部において、雨樋伸縮継手の側壁の外側に係止片が設けられ、雨樋の双方の耳部が雨樋伸縮継手の側壁と係止片との間に挿入されているものである。
【０００３】
【発明が解決しようとする課題】
ところで、前記構造の軒樋の伸縮接続部は、２個の雨樋を伸縮継手、上カバー、下カバーで連結するものであり、構成が極めて複雑なものである。そして、伸縮継手は、基板下面の両端に水切り片が垂設され、水切り片の内方には垂下片が垂設されており、形状が複雑となっている。このため、伸縮継手を射出成形するとき金型が複雑となっており、コストアップの要因となっていた。
【０００４】
本発明は、このような問題に鑑みてなされたものであって、その目的とするところは、構成が簡単であり、伸縮継手の製造が容易であり、コストダウンできる軒樋の伸縮接続構造を提供することにある。また、間隔を有して対向する軒樋の間隔を塞ぐ伸縮継手の施工が容易であり、軒樋が伸縮したときに円滑に移動でき、外れにくい軒樋の伸縮接続構造を提供することにある。
【０００５】
【課題を解決するための手段】
前記目的を達成すべく、本発明に係る軒樋の伸縮接続構造は、端部同士が対向するように長手方向に沿って位置する２個の軒樋と、該軒樋の各端部に固着され前記軒樋の外周面から突出する突部を備え所定の間隔を有して対向する止水壁と、前記軒樋及び止水壁の外周側に位置し前記各端部を跨いで前記間隔を塞ぐように連結する伸縮カバーとを備える軒樋の伸縮接続構造であって、前記伸縮カバーは、少なくともその前板部および後板部の左右両側に長方形状の板を内側に折り返し、前記前板部および後板部には密着せずに傾斜した折り返し部を備え、該折り返し部と前記突部とが対向することを特徴とする。伸縮カバーは上部が開口する断面略Ｕ字状をしており、上部の開口を覆う上カバーをさらに備えると好適である。
【０００６】
また、本発明に係る軒樋の伸縮接続構造の好ましい具体的な態様としては、伸縮カバーは、金属板材より形成され、折り返し部は金属板材を屈曲形成することを特徴としている。さらに、本発明に係る軒樋の伸縮接続構造の好ましい具体的な他の態様としては、伸縮カバーは、合成樹脂板材より形成され、前記折り返し部はセルフヒンジ部で形成することを特徴としている。
【０００７】
このように構成された本発明の軒樋の伸縮接続構造は、対向する軒樋同士が温度変化等により伸縮した場合、各端部に固着された止水壁の間隔が変化するが、止水壁の間隔を塞ぐ伸縮カバーは折り返し部が軒樋の外周面を滑って軒樋の伸縮を吸収することができ、折り返し部が止水壁の突部に当接して脱落することもない。また伸縮カバーを金属板材から形成することにより、折り返し部は軒樋の外周面に弾接するため、滑らかに移動できると共に伸縮カバーの脱落を防止できる。伸縮カバーを合成樹脂板材から形成し、セルフヒンジ部で折り返し部を形成すると、伸縮カバーの成形が容易に行える。さらに、構成を簡単にできるため、コストダウンを達成できる。
【０００８】
【発明の実施の形態】
以下、本発明に係る軒樋の伸縮接続構造の一実施形態を図面に基づき詳細に説明する。図１は、本実施形態に係る軒樋の伸縮接続構造の分解した状態を示す斜視図、図２は、図１の結合した状態のＡ−Ａ線断面図、図３は、図１の結合した状態のＢ−Ｂ線断面図、図４は、図１の結合した状態のＣ−Ｃ線断面図、図５は、軒樋の取付け状態を示す断面図である。
【０００９】
図１〜５において、軒樋１，１は塩化ビニル樹脂、ポリカーボネート樹脂等で形成され、底壁２の前端から前壁３が上方に延出し、底壁２の後端から後壁４が上方に延出し、前壁３の上端には補強部を兼ねる前耳５が形成され、後壁４の上端にも後耳６が形成されている。軒樋１は底壁２に対して前壁３及び後壁４が拡開して上方に延出し、断面が上方に開口した略Ｕ字状をしている。そして、前壁３及び後壁４の上端に前耳５及び後耳６が形成され、雨水は底壁２に沿って流れる構成である。
【００１０】
軒樋１，１は端部が開口して所定の間隔を有して開口部が対向しており、開口部は止水壁１０，１０で閉塞されている。止水壁１０は軒樋１と同様の樹脂で形成され、軒樋１の断面形状と略同じ形状の端面部１１と、この端面部から直交する方向に延出し軒樋１の外周面に対接する外周リブ１２と、端面部１１から直交する方向に延出し軒樋１の内周面に対接する内周リブ１３とを備えている。本例では、外周リブ１２は軒樋１の底壁２、前壁３、後壁４、及び後耳６の外面に対接するように連続し、軒樋１の外周面から突出する突部を形成している。また、内周リブ１３は、軒樋１の底壁２、前壁３、後壁４の内面に対接するように連続している。そして、止水壁１０は軒樋１の端部に、外周リブ１２が外周面と対接し、内周リブ１３が内周面と対接して接着剤により防水状態に接着されている。なお、接着剤の代わりに溶剤により溶着するようにしてもよい。
【００１１】
伸縮カバー１５は軒樋１，１の各端部を跨いで止水壁１０，１０の間隔を塞ぐように連結するものであり、本例では金属板材により、軒樋１の外周を覆うような形状に形成され、軒樋１の底壁２の外周に位置する底板部１６と、前壁３及び前耳５の外周に位置する前板部１７と、後壁４及び後耳６の外周に位置する後板部１８とを備えている。前板部１７と後板部１８の上端は、対向するように折り曲げられて水平部１９ａ，１９ｂが形成されている。金属板材としては、カラー鉄板、樹脂被覆鋼板、メッキ鋼板等が使用される。
【００１２】
そして、伸縮カバー１５は底板部１６、前板部１７、後板部１８の両側に軒樋１の外周面側に折り返した折り返し部を備えている。すなわち、底板部１６の左右の両側に連続する長方形状の板を内側に折り返した折り返し部１６ａ，１６ａを形成し、前板部１７の両側に折り返し部１７ａ，１７ａを形成し、後板部１８の両側に折り返し部１８ａ，１８ａを形成している。これらの折り返し部は底板部１６、前板部１７、後板部１８に密着せず、先端の１辺が数ｍｍ程度離れた状態で傾斜しており、折り返し部の先端は軒樋１の外周面に弾接して止水壁１０の外周から突出した外周リブ１２と対向し、伸縮カバー１５を移動すると当接するものである。なお、折り返し部は底板部、前板部、後板部の全てに対応して設ける必要はなく、例えば前板部１７、後板部１８に対応して左右のみ形成するようにしてもよい。
【００１３】
伸縮カバー１５の上部には、上カバー２０が位置している。上カバー２０は左右の止水壁１０，１０の上部を連結し、屋根から流れる雨水を左右の軒樋１，１に振り分けるものである。上カバー２０は金属板材から屈曲形成され、長方形状の平板部２１の軒樋１と対向する２辺から突出する長方形板を下方に折り曲げて立ち下げ片２２，２２を形成すると共に、他の対向する２辺から突出する長方形板を上方に折り曲げて立ち上げ片２３，２３を形成し、前方の立ち上げ片の上部を前方に折り曲げて軒樋１の前耳５に嵌合する係止片２４としている。この上カバー２０は２個の止水壁１０，１０の上部に跨って載置され、立ち下げ片２２，２２の幅は止水壁１０，１０の間隔より大きく形成され、軒樋１，１が伸縮したときに当接しないように設定されている。
【００１４】
このように構成された軒樋１，１は、図５の断面図に示されるように屋根の軒先に固定される。すなわち、軒先には軒樋支持具２５が固定され、軒樋支持具２５の先端の前耳係止部２６が軒樋１の前耳５に嵌合し、軒樋支持具２５の基端の後耳係止部２７が軒樋１の後耳６を係止して固定する。本例では、上カバー２０は軒樋１の前壁側の係止片２４を軒樋の前耳５に係合させると共に、上カバー２０上に位置する屋根の野地板２８に固定された水切り片３０（図４，５参照）が対向して浮き上がりが防止され、止水壁１０，１０からの脱落が防止されるように構成されている。
【００１５】
前記の如く構成された本実施形態の軒樋の伸縮接続構造による軒樋１，１の接続動作について以下に説明する。まず、端部同士が対向するように長手方向に沿って２個の軒樋１，１を位置させ、各端部に止水壁１０，１０を接着する。これにより軒樋１の外周面から止水壁１０の外周リブ１２が突出する。止水壁１０は外周リブ１２が軒樋１の外周面に接着されると共に、内周リブ１３が軒樋１の内周面と接着され、この部分から雨水が漏れることはなく止水される。
【００１６】
次に、止水壁１０，１０が所定の間隔を有して対向する軒樋１，１の間隔を塞ぐように、伸縮カバー１５を軒樋１，１の下側から覆って連結する。このとき伸縮カバー１５を若干広げるようにして上方に移動すると容易に覆うことができる。伸縮カバー１５の前板部１７及び後板部１８の上端の水平部１９ａ，１９ｂが軒樋１の上端に係合し、伸縮カバー１５が軒樋１から下方に脱落するのを防止している。伸縮カバー１５の折り返し部１６ａ，１７ａ，１８ａは軒樋１，１の外周面側に僅かに突出し、止水壁１０，１０の外周リブ１２，１２と間隔を有して対向している。
【００１７】
この後、対向する止水壁１０，１０の上部に跨って、軒樋１，１の間隔に上カバー２０を載置する。上カバーの立ち下げ片２２，２２が軒樋１，１の内部に位置するように載置し、前方の立ち上げ片２３の上部の係止片２４を軒樋１の前耳５に挿入する。これにより軒樋１，１の間隔の上部を覆って雨水が間隔内に入らないようにすることができる。
【００１８】
軒樋１，１が温度変化により伸縮すると、軒樋の開口端部に固着された止水壁１０，１０の間隔が変化する。これにより止水壁１０，１０と伸縮カバー１５との間に相対移動が発生し、伸縮カバー１５の折り返し部１６ａ，１７ａ，１８ａが軒樋１の外周面上を滑って伸縮を吸収する。この際、折り返し部が軒樋１，１の外周面に弾接しているので、伸縮カバー１５ががたつくことなく円滑に伸縮を吸収することができる。伸縮カバー１５が軒樋１，１の長手方向に沿って移動しても、折り返し部１６ａ，１７ａ，１８ａが突部である止水壁１０の外周リブ１２に当接してそれ以上の移動が阻止され、止水壁１０，１０間の間隔が露出することはない。このようにして、伸縮カバー１５が軒樋１，１の伸縮を吸収し、軒樋１，１同士が離れずに一体的に見えるので外観を向上することができる。
【００１９】
本発明の他の実施形態を図６に基づき詳細に説明する。図６は本発明に係る軒樋の伸縮接続構造に用いる伸縮カバーの他の実施形態を示し、その折り返し部を開いた状態の概略斜視図である。なお、この実施形態は前記した実施形態に対し、伸縮カバーを合成樹脂板材より形成することを特徴とする。そして、他の実質的に同等の構成については同じ参照符号を付して詳細な説明は省略する。
【００２０】
伸縮カバー３５は軒樋１，１の各端部を跨いで止水壁１０，１０の間隔を塞ぐように連結するものであり、本例ではポリプロピレン等の合成樹脂板材により、軒樋１の外周を覆うような形状に形成される。伸縮カバー３５は底板部３６、前板部３７、後板部３８の両側にセルフヒンジ部３９を介して折り返し部３６ａ，３７ａ，３８ａを突出形成している。セルフヒンジ部３９は肉薄に形成され、本例では内側に向けて折り曲げやすいように外側面が削られて肉薄となっており、軒樋１，１に取付けるときは、セルフヒンジ部３９で折り返し部を折り返して取付ける。
【００２１】
この例の伸縮カバー３５は、前記した例と同様、対向する２個の軒樋の端部間を塞ぐように連結するものであり、伸縮カバー３５は一体的に射出成形できるので製造が容易に行える。また、伸縮カバー３５のセルフヒンジ部３９は折り返しが容易に行え、セルフヒンジ部は平面に戻ろうとする復帰力が作用するため、軒樋１，１の外周面に弾接して軒樋の突部である外周リブ１２に確実に係合することができ、伸縮カバー３５が移動したとき必要以上の移動を阻止することが確実に行える。また製造が容易でコストダウンを達成できる。この例の場合も、軒樋の温度変化等による伸縮を伸縮カバー３５が吸収でき、吸収に伴う軒樋１，１と伸縮カバー３５の相対移動による騒音も発生しにくい効果を奏する。
【００２２】
なお、伸縮カバーを形成する合成樹脂として、ポリプロピレン樹脂の例を示したが、セルフヒンジ機能を有する樹脂なら他の樹脂で形成してもよいことは勿論である。また、軒樋として、断面が略Ｕ字状の例を示したが、本発明は、断面が半円形状や、装飾を施した複雑な断面形状の軒樋にも適用でき、その場合の止水壁は軒樋の形状に沿った形状となる。
【００２３】
【発明の効果】
以上の説明から理解できるように、本発明の軒樋の伸縮接続構造は、軒樋が温度変化等により伸縮して対向する間隔が変化しても、伸縮カバーと軒樋が相対的に円滑に移動して吸収することができる。このように、２つの軒樋が離れずに連続して見えるため、軒樋が一体的となり外観を向上させることができる。また、風雨により伸縮カバーが移動しても折り返し部が突部に当接し、伸縮カバーが軒樋から脱落することはない。
【図面の簡単な説明】
【図１】本発明に係る軒樋の伸縮接続構造の一実施形態の分解した状態を示す斜視図。
【図２】図１の結合した状態のＡ−Ａ線断面図。
【図３】図１の結合した状態のＢ−Ｂ線断面図。
【図４】図１の結合した状態のＣ−Ｃ線断面図。
【図５】軒樋の取付け状態を示す断面図。
【図６】伸縮カバーの他の実施形態の折り返し部を開いた状態の概略斜視図。
【符号の説明】
１  軒樋、                １０  止水壁、
１２  外周リブ（突部）、  １５  伸縮カバー、
１６ａ，１７ａ，１８ａ  折り返し部、
２０  上カバー、          ３５  伸縮カバー、
３６ａ，３７ａ，３８ａ  折り返し部、
３９  セルフヒンジ部
【図１】
0004686056.tif 000002
【図２】
0004686056.tif 000003
【図３】
0004686056.tif 000004
【図４】
0004686056.tif 000005
【図５】
0004686056.tif 000006
【図６】
0004686056.tif 000007